(57)【要約】【課題】  本発明は歩行者に自転車が近づいていることを知らせて、注意を喚起して事故の防止を図るとともに、盗難を心配することのない安さで、かつ電池やブザーを必要とせず、楽に設置することができる自転車用注意喚起音発生具を得るにある。【解決手段】  自転車のタイヤスポークに両端部が着脱可能に取付けることができる両端部に取付溝が形成された注意喚起音発生具本体と、この注意喚起音発生具本体が自転車のタイヤスポークに取付けられて、自転車のタイヤが所定の低速回転した場合、注意喚起音発生用の重りが両端部に衝突して注意喚起音を出しながら往復移動するように、該注意喚起音発生具本体に形成された注意喚起音発生用の重り移動室と、この注意喚起音発生用の重り移動室内を往復移動する注意喚起音発生用の重りとで自転車用注意喚起音発生具を構成している。【選択図】  図８
2015003604.tif 000002
【特許請求の範囲】
【請求項１】
自転車のタイヤスポークに両端部が着脱可能に取付けることができる両端部に取付溝が形成された注意喚起音発生具本体と、この注意喚起音発生具本体が自転車のタイヤスポークに取付けられて、自転車のタイヤが所定の低速回転した場合、注意喚起音発生用の重りが両端に衝突して注意喚起音を出しながら往復移動するように、該注意喚起音発生具本体に形成された注意喚起音発生用の重り移動室と、この注意喚起音発生用の重り移動室内を往復移動する注意喚起音発生用の重りとからなることを特徴とする自転車用注意喚起音発生具。
【請求項２】
重りは自転車の走行速度が１５Ｋｍ未満の場合には注意喚起音発生用の重り移動室内を往復移動し、１５Ｋｍ以上の場合には遠心力が作用して注意喚起音発生用の重り移動室内を往復移動できないように設定されていることを特徴とする請求項１記載の自転車用注意喚起音発生具。
【発明の詳細な説明】
【技術分野】
【０００１】
本発明は自転車のタイヤスポークに取付けて走行することにより、低速走行時には注意喚起音が発生し、歩行者に注意を促すことができる自転車用注意喚起音発生具に関する。
【背景技術】
【０００２】
従来、自転車と歩行者との事故が多発している。これは自転車が車道を走行すると自動車との事故が起こりやすいため、歩道を走行すると歩行者との事故が起こる。この事故は歩行者に音もなく近づき、歩行者を驚かすことに起因すると思われている。
【先行技術文献】
【特許文献】
【０００３】
【特許文献１】実開平６−２２１７8号公報
【発明の概要】
【発明が解決しようとする課題】
【０００４】
本発明は以上のような点に鑑み、歩行者に自転車が近づいていることを知らせて、注意を喚起して事故の防止を図るとともに、盗難を心配することのない安さで、かつ電池やブザーを必要とせず、楽に設置することができる自転車用注意喚起音発生具を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は自転車のタイヤスポークに両端部が着脱可能に取付けることができる両端部に取付溝が形成された注意喚起音発生具本体と、この注意喚起音発生具本体が自転車のタイヤスポークに取付けられて、自転車のタイヤが所定の低速回転した場合、注意喚起音発生用の重りが両端部に衝突して注意喚起音を出しながら往復移動するように、該注意喚起音発生具本体に形成された注意喚起音発生用の重り移動室と、この注意喚起音発生用の重り移動室内を往復移動する注意喚起音発生用の重りとで自転車用注意喚起音発生具を構成している。
【発明の効果】
【０００７】
以上の説明から明らかなように、本発明にあっては次に列挙する効果が得られる。
（１）請求項１により、自転車のタイヤスポークに両端部が着脱可能に取付けられる注意喚起音発生具本体と、この注意喚起音発生具本体に形成された注意喚起音発生用の重り移動室と、この注意喚起音発生用重り移動室を往復移動する注意喚起音発生用の重りとで構成されているので、自転車のタイヤスポークに取付けて走行すると、注意喚起音発生用の重りが注意喚起音発生用の重り移動室を往復移動して注意喚起音を発生することができる。
したがって、歩行者に自転車が近づいている注意を喚起して、事故を効率よく防止することができる。    
（２）前記（１）により、構造が簡単で、従来のように電池やブザーを必要とせず、安価に製造することができる。
したがって、盗難を心配することなく、設置して使用することができる。
（３）前記（１）により、注意喚起音発生具本体の両端部の取付溝に自転車のタイヤスポークを挿入させるだけで取付けることができ、誰でもが簡単に、短時間で設置することができる。
（４）前記（１）により、自転車を高速で走行させている場合には、注意喚起音発生用の重りが遠心力によって注意喚起音発生用の重り移動室に固定されるため、注意喚起音が発生するのを防止でき、楽しくツーリングすることができる。
（５）請求項２も前記（１）〜（４）と同様な効果が得られる。
【図面の簡単な説明】
【０００８】
【図１】本発明を実施するための第１の形態の正面図。
【図２】本発明を実施するための第１の形態の平面図。
【図３】本発明を実施するための第１の形態の底面図。
【図４】本発明を実施するための第１の形態の左（右）側面図。
【図５】図１の５−５線に沿う断面図。
【図６】図１の６−６線に沿う断面図。
【図７】図２の７−７線に沿う断面図。
【図８】本発明を実施するための第１の形態の自転車に取付けた状態の説明図。
【図９】本発明を実施するための第１の形態の低速走行時の動作説明図。
【図１０】本発明を実施するための第１の形態の高速走行時の動作説明図。
【図１１】本発明を実施するための第２の形態の正面図。
【図１２】本発明を実施するための第２の形態の平面図。
【図１３】本発明を実施するための第２の形態の背面図。
【図１４】本発明を実施するための第３の形態の正面図。
【図１５】本発明を実施するための第３の形態の平面図。
【図１６】本発明を実施するための第３の形態の背面図。
【発明を実施するための形態】
【０００９】
以下、図面に示す本発明を実施するための形態により、本発明を詳細に説明する。
【００１０】
図１ないし図１０に示す本発明を実施するための第１の形態において、１は自転車２のタイヤスポーク３、３に両端部が着脱可能に取付けることができる本発明の自転車用注意喚起音発生具で、この自転車用注意喚起音発生具１は両端部にタイヤスポーク４、４が形成された注意喚起音発生具本体５と、この注意喚起音発生具本体５が自転車２のタイヤスポーク３、３に取付けられて、自転車２のタイヤが所定の低速回転した場合、注意喚起音発生用の重りが両端部に衝突して注意喚起音を出しながら往復移送するように、該注意喚起音発生具本体５に形成された注意喚起音発生用の重り移動室６と、この注意喚起音発生用の重り移動室６内を往復移動する注意喚起音発生用の重り７とで構成されている。
【００１１】
前記注意喚起音発生具本体５は合成樹脂材で成形された、例えば透明な表面板８と、この表面板８と同形状に形成された、例えば不透明な裏面板９とを対向させて接着剤で固定されたもので、前記表面板８と裏面板９の両端部にはタイヤスポーク３、３の係合凹部１０、１０、１０、１０や係止ピン１１、１１、１１、１１、１１、１１が形成された取付溝４、４となり、該取付溝４、４間には両端中央部が開口１２、１２された注意喚起音発生用の重り移動室６となる半円弧状の凹部１３、１３が形成されている。
【００１２】
前記注意喚起音発生用の重り７は前記注意喚起音発生具本体５の注意喚起音発生用の重り移動室６をスライド移動でき、かつ両端中央部の開口１２、１２よりも大径で、その端部が該注意喚起音発生用の重り移動室６の両端６ａと衝突して注意喚起音が出る円柱状に形成されている。
【００１３】
上記構成の自転車用注意喚起音発生具１は図８に示すように、自転車２のタイヤスポーク３、３を両端部の取付溝４、４に挿入し、該タイヤスポーク３、３が取付溝４、４の係合凹部１０、１０、１０、１０や係止ピン１１、１１、１１、１１、１１、１１で支持された状態にする。
【００１４】
これはタイヤスポーク３、３間が広い外周部間に挿入した後、内側方向へ移動させることにより、図８に示すように容易に取付けることができる。
【００１５】
タイヤスポーク３、３に取付けて自転車２を走行させると、タイヤと一体になって回転する。例えば、時速１５Ｋｍ未満の低速走行時には図９に示すように、注意喚起音発生用の重り７が注意喚起音発生用の重り移動室６を往復移動し、該注意喚起音発生用の重り７が注意喚起音発生用の重り移動室６の両端部に衝突することで注意喚起音を出す。
次に自転車２を、例えば時速５Ｋｍ以上の高速走行時には、図１０に示すように注意喚起音発生用の重り７が遠心力によって注意喚起音発生用の重り移動室６の一端部に押し付けられた状態となり、注意喚起音を出すことなく走行することができる。
なお、注意喚起音発生用の重り移動室６内を往復移動する注意喚起音発生用の重り７の大きさや重量を調整することによって、遠心力で注意喚起音発生用の重り７を停止できる自転車２の時速を変えることができる。    
【００１６】
[発明を実施するための異なる形態]
次に、図１１ないし図１６に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００１７】
図１１ないし図１３に示す本発明を実施するための第２の形態において、前記本発明を実施するための第１の形態と主に異なる点は、注意喚起音発生具本体５の表面板８と裏面板９の表面に光の反射面１４、１４を形成した点で、このように構成した自転車用注意喚起音発声具１Ａにしても、前記本発明を実施するための第１の形態と同様な作用効果が得られるとともに、注意喚起音発生具本体５の表面板８と裏面板９によって光の反射板となり、より安全に使用することができる。
【００１８】
図１４ないし図１６に示す本発明を実施するための第３の形態において、前記本発明を実施するための第１の形態と主に異なる点は、注意喚起音発生具本体５の表面板８と裏面板９の表面に宣伝用のシール１５、１５を貼着するシール貼付部１６、１６を形成した点で、このようにシール貼付部１６、１６を形成した自転車用注意喚起音発生具１Ｂにしても、前記本発明を実施するための第１の形態と同様な作用効果が得られる。
【産業上の利用可能性】
【００１９】
本発明は自転車のタイヤスポークに取付けられ、該自転車を走行させると注意喚起音が出て、歩行者に注意を喚起させることができる自転車用注意喚起音発生具を製造する産業で利用される。
【符号の説明】
【００２０】
１、１Ａ、１Ｂ：自転車用注意喚起音発生具、
２：自転車、        ３：タイヤスポーク、
４：取付溝、          ５：注意喚起音発生具本体、  
６：注意喚起音発生用の重り移動室、
７：注意喚起音発生用の重り、  ８：表面板、
９：裏面板、        １０：係合凹部、
１１：係止ピン、      １２：開口、
１３：凹部、        １４：反射面、
１５：宣伝用のシール、    １６：シール貼付部。
【図１】
2015003604.tif 000003
【図２】
2015003604.tif 000004
【図３】
2015003604.tif 000005
【図４】
2015003604.tif 000006
【図５】
2015003604.tif 000007
【図６】
2015003604.tif 000008
【図７】
2015003604.tif 000009
【図８】
2015003604.tif 000010
【図９】
2015003604.tif 000011
【図１０】
2015003604.tif 000012
【図１１】
2015003604.tif 000013
【図１２】
2015003604.tif 000014
【図１３】
2015003604.tif 000015
【図１４】
2015003604.tif 000016
【図１５】
2015003604.tif 000017
【図１６】
2015003604.tif 000018